(57)【要約】【課題】フィルタダクト２０の屈曲部１９に対する異物の付着状態を容易に点検可能にすること。【解決手段】ミラー４４はカバー３４の開放状態で外箱の外部から点検口４０を通して屈曲部１９に光を反射するものであり、使用者がカバー３４の開放状態で外箱の外部から点検口４０を覗き込むことで認識できるように配置されている。この構成の場合には使用者が屈曲部１９に対する異物の付着状態をミラー４４で確認できるので、目線の位置を調整する煩わしさが少なくなる。【選択図】図６
2011120818.tif 000002
【特許請求の範囲】
【請求項１】
水を受ける水受槽と、
前記水受槽の内部に設けられ、洗濯物が投入されるものであって前記水受槽内の水が流通することが可能な複数の貫通孔を有する洗濯槽と、
前記水受槽を経路の一部とする環状をなすものであって、空気が循環することが可能な通風路と、
前記水受槽内の空気を前記通風路内に沿って循環させるファン装置と、
前記通風路内に沿って循環する空気を加熱する加熱器と、
前記通風路内に沿って循環する空気を前記加熱器に比べて空気の流れの上流側で冷却する冷却器と、
使用者が前記通風路の外部から前記通風路の内部を目視で点検するための点検口と、
前記点検口を閉鎖する閉鎖状態および前記点検口を開放する開放状態相互間で使用者が操作することが可能なカバー部材と、
前記カバー部材の開放状態で前記通風路の外部から前記点検口を通して前記通風路の内部の予め決められた点検領域に光を反射する反射面を有する反射部材を備え、
前記反射部材は、前記カバー部材の開放状態で使用者が前記通風路の外部から前記点検口を覗き込むことで前記反射面を目視で認識できるように配置されていることを特徴とする洗濯乾燥機。
【請求項２】
永久磁石と、
前記通風路の内部に着脱不能に設けられ、前記反射部材および前記永久磁石のそれぞれを支持する支持部材を備え、
前記反射部材は、前記永久磁石に磁気的な吸引力で吸引されることが可能な磁性材からなるものであることを特徴とする請求項１に記載の洗濯乾燥機。
【請求項３】
前記反射部材の前記点検領域に対する傾斜角度を調整するものであって、電気的な駆動源を有する傾斜機構と、
使用者が操作することが可能な傾斜角調整用の操作子と、
前記操作子の操作内容に応じて前記反射部材の前記点検領域に対する傾斜角度を設定する傾斜角設定手段と、
前記駆動源を前記傾斜角設定手段の設定結果に応じて電気的に制御することで前記反射部材の前記点検領域に対する傾斜角度を前記操作子の操作内容に応じて調整する傾斜角調整手段を備えたことを特徴とする請求項１・２のいずれかに記載の洗濯乾燥機。
【請求項４】
前記傾斜機構は、前記反射部材に連結されたロッドと前記ロッドを直線的に移動可能に支持するロッド受けと前記ロッドを前記ロッド受けに沿って移動操作することで前記反射部材の前記点検領域に対する傾斜角度を調整する駆動源としてのロッドモータを有するものであり、
前記傾斜角調整手段は、前記ロッドモータを前記傾斜角設定手段の設定結果に応じて駆動制御することで前記反射部材の前記点検領域に対する傾斜角度を前記ロッドを介して調整するものであって、前記洗濯槽内の洗濯物から水分を遠心力で放出する脱水処理中には前記傾斜角設定手段の設定結果に拘らず前記ロッドを前記ロッド受け側に最大限に後退した状態に静止させることを特徴とする請求項３に記載の洗濯乾燥機。
【請求項５】
前記反射部材は、前記駆動源の電気的なオフ状態で前記傾斜角設定手段の設定結果に応じた傾斜角度に静止するものであることを特徴とする請求項３・４のいずれかに記載の洗濯乾燥機。
【発明の詳細な説明】
【技術分野】
【０００１】
本発明は洗濯物を洗濯する洗濯機能および洗濯物を乾かす乾燥機能の双方を備えた洗濯乾燥機に関する。
【背景技術】
【０００２】
上記洗濯乾燥機には通風路とファン装置と加熱器と冷却器を備えたものがある。通風路は水受槽を経路の一部とする環状をなすものであり、ファン装置の運転状態では水受槽内の空気が通風路内に沿って循環する。加熱器は通風路内を循環する空気を加熱するものであり、冷却器は通風路内を循環する空気を加熱器に比べて空気の流れの上流側で冷却するものであり、脱水処理が終了した直後の水分を含んだ洗濯物が水受槽内に存在する場合には冷却器が空気を冷却することで除湿し、加熱器が除湿後の空気を加熱することで低湿度な温風を水受槽内の洗濯物に供給する。
【先行技術文献】
【特許文献】
【０００３】
【特許文献１】特開２００８−１２１１９号公報
【特許文献２】特許第４０５９２３６号
【発明の概要】
【発明が解決しようとする課題】
【０００４】
本件出願人は特願２００９−０３３９３４で通風路にリントフィルター装置を装着するための点検口を設けることを提案した。この点検口は前記リントフィルター装置の一部であるカバー部材の閉鎖状態で閉鎖され、前記リントフィルター装置の取外しに伴うカバー部材の開放状態で開放されるものであり、使用者はカバー部材を閉鎖状態から開放状態に操作することで点検口を開放し、点検口の開放状態で通風路の外部から点検口を通して通風路の内部を覗き込むことで通風路の内面に対するリント（糸屑）等の異物の付着状態を点検できる。しかしながら、この洗濯機乾燥機の場合には洗濯乾燥機本体の天井面に点検口が設けられていることから、使用者が点検口を通して通風路の内部を覗き込むときに特に背の低い使用者には死角ができることがある。このため、使用者が死角に配慮して目線の位置を調整する必要があり、異物の付着状態を点検する点検作業が面倒である。
【課題を解決するための手段】
【０００５】
本発明の洗濯乾燥機は、水を受ける水受槽と、前記水受槽の内部に設けられ洗濯物が投入されるものであって前記水受槽内の水が流通することが可能な複数の貫通孔を有する洗濯槽と、前記水受槽を経路の一部とする環状をなすものであって空気が循環することが可能な通風路と、前記水受槽内の空気を前記通風路内に沿って循環させるファン装置と、前記通風路内に沿って循環する空気を加熱する加熱器と、前記通風路内に沿って循環する空気を前記加熱器に比べて空気の流れの上流側で冷却する冷却器と、使用者が前記通風路の外部から前記通風路の内部を目視で点検するための点検口と、前記点検口を閉鎖する閉鎖状態および前記点検口を開放する開放状態相互間で使用者が操作することが可能なカバー部材と、前記カバー部材の開放状態で前記通風路の外部から前記点検口を通して前記通風路の内部の予め決められた点検領域に向けて光を反射する反射面を有する反射部材を備え、前記反射部材は前記カバー部材の開放状態で使用者が前記通風路の外部から前記点検口を通して前記反射面を目視で認識できるように配置されているところに特徴を有する。
【発明の効果】
【０００６】
使用者がカバー部材の開放状態で通風路の外部から点検口を通して通風路の内部を覗き込むことで反射部材の反射面を目視で認識できる。このカバー部材の開放状態では反射部材の反射面が通風路の外部から点検口を通して通風路の内部の点検領域に光を反射する。このため、使用者は通風路の内部の点検領域に対する異物の付着状態を反射部材の反射面を介して目視で点検できるので、使用者は洗濯乾燥機本体の前に立ったまま点検口内の死角位置を容易に確認でき、目線の位置を死角に配慮して屈み込む等調整する煩わしさが低減される。
【図面の簡単な説明】
【０００７】
【図１】実施例１を示す図（洗濯乾燥機の外観を示す斜視図）
【図２】洗濯乾燥機の内部構成を示す断面図
【図３】洗濯乾燥機の電気的な構成を示すブロック図
【図４】水受槽の外観を示す斜視図
【図５】フィルタフレームの外観を取外し状態で示す斜視図
【図６】（ａ）はフィルタケースの内部構成を示す断面図、（ｂ）はＸｂ部を拡大して示す図
【図７】モータケースの内部構成をロッドの前限度位置で示す断面図
【図８】モータケースの内部構成をロッドの格納位置で示す断面図
【図９】（ａ）ミラーを前限度角度で示す図、（ｂ）はミラーを後限度角度で示す図
【図１０】操作パネルを示す図
【図１１】主制御回路のメイン処理を示すフローチャート
【図１２】主制御回路のタイマ割込み処理を示すフローチャート
【図１３】主制御回路の傾斜角調整処理を示すフローチャート
【図１４】主制御回路の一時停止割込み処理を示すフローチャート
【図１５】図６の（ａ）相当図
【発明を実施するための形態】
【０００８】
【実施例１】
【０００９】
図１の外箱１は前板と後板と左側板と右側板と底板と天板を有する中空状をなすものであり、外箱１の前板には貫通孔状の出入口２が形成されている。この外箱１の前板には扉３が装着されている。この扉３は前方の使用者が閉鎖状態および開放状態相互間で操作することが可能なものであり、扉３の閉鎖状態では出入口２が閉鎖され、扉３の開放状態では出入口２が開放される。外箱１の内部には、図２に示すように、水受槽４が固定されている。この水受槽４は後面が閉鎖された円筒状をなすものであり、軸心線ＣＬが前から後に向けて下降する傾斜状態に配置されている。この水受槽４は前面が開口するものであり、扉３の閉鎖状態では扉３が水受槽４の前面を気密状態に閉鎖する。
【００１０】
水受槽４の後板には、図２に示すように、水受槽４の外部に位置してドラムモータ５が固定されている。このドラムモータ５は速度制御可能な３相ＤＣブラシレスモータからなるものであり、ドラムモータ５の回転軸６は水受槽４の内部に突出している。この回転軸６は水受槽４の軸心線ＣＬに重ねて配置されたものであり、回転軸６には水受槽４の内部に位置してドラム７が固定されている。このドラム７は後面が閉鎖された円筒状をなすものであり、ドラムモータ５の運転状態で回転軸６と一体的に回転する。このドラム７の前面は水受槽４の前面を介して出入口２に後方から対向しており、ドラム７の内部には扉３の開放状態で前方から出入口２と水受槽４の前面とドラム７の前面のそれぞれを通して洗濯物が出し入れされる。このドラム７は洗濯槽に相当し、ドラムモータ５は洗濯モータに相当する。
【００１１】
ドラム７には、図２に示すように、複数の貫通孔８が形成されている。これら複数の貫通孔８のそれぞれは水が流通することが可能なものであり、ドラム７の内部空間は複数の貫通孔８のそれぞれを介して水受槽４の内部空間に通じている。このドラム７の内周面には複数のバッフル９が固定されている。これら複数のバッフル９のそれぞれはドラム７が回転することに応じて軸心線ＣＬを中心に円周方向へ移動するものであり、ドラム７内に洗濯物が投入されている場合にはドラム７内の洗濯物が複数のバッフル９のそれぞれに引掛かりながら円周方向へ移動する。
【００１２】
外箱１の内部には、図２に示すように、給水弁１０が固定されている。この給水弁１０は入口および出口のそれぞれを有するものであり、給水弁１０の入口は水道の蛇口に接続されている。この給水弁１０は電磁ソレノイドからなる給水弁ソレノイド１１（図３参照）を駆動源とするものであり、給水弁１０の出口は給水弁ソレノイド１１の電気的な状態に応じて開放状態および閉鎖状態相互間で切換えられる。この給水弁１０の出口は水受槽４の内部空間に接続されており、給水弁１０の開放状態では水道水が給水弁１０の出口を通して水受槽４内に注入される。この水受槽４には最底部に位置して排水管１２の上端部が接続されており、排水管１２には排水弁１３が介在されている。この排水弁１３は排水弁モータ１４（図３参照）を駆動源とするものであり、排水弁モータ１４の回転量に応じて開放状態および閉鎖状態相互間で切換えられる。この排水弁１３の閉鎖状態では給水弁１０から水受槽４内に注入された水道水が水受槽４内に貯留され、排水弁１３の開放状態では給水弁１０から水受槽４内に注入された水道水が排水管１２を通して水受槽４の外部に排出される。
【００１３】
外箱１の内部には、図４に示すように、水受槽４の上方に位置して出口ダクト１５とフィルタケース１６と分割上ダクト１７と分割下ダクト１８が収納されている。出口ダクト１５は上下方向へ指向する円筒状をなすものであり、出口ダクト１５の下端部は水受槽４の内部空間に水受槽４の前端部で接続されている。フィルタケース１６は、図５に示すように、前板と後板と左側板と右側板を有する角筒状をなすものであり、出口ダクト１５の上端部はフィルタケース１６の内部空間にフィルタケース１６の前板で接続されている。分割上ダクト１７は左側板と右側板と天板と後板のそれぞれを有するものであり、前面および下面のそれぞれが開口する枠状をなしている。この分割上ダクト１７は前後方向へ指向するものであり、分割上ダクト１７の前端部はフィルタケース１６の後板に接続されている。分割下ダクト１８はフィルタケース１６および分割上ダクト１７のそれぞれにネジで着脱可能に固定されたものである。この分割下ダクト１８はフィルタケース１６の下面および分割上ダクト１７の下面のそれぞれを下方から閉鎖するものであり、分割下ダクト１８の前端部には、図６に示すように、フィルタケース１６の内部に位置してＬ字状に屈曲する屈曲部１９が形成されている。この分割下ダクト１８は分割上ダクト１７と共に前後方向へ指向する角筒状のフィルタダクト２０を構成するものであり、フィルタダクト２０の内部空間はフィルタケース１６および出口ダクト１５のそれぞれを介して水受槽４の内部空間に通じている。
【００１４】
外箱１の内部には、図４に示すように、後ダクト２１と冷却器ケース２２とファンケーシング２３のそれぞれが収納されている。後ダクト２１は上下方向へ指向する円筒状をなすものであり、水受槽４の後板に水受槽４の外部に位置して固定されている。冷却器ケース２２は上下方向へ指向する角筒状をなすものであり、水受槽４の後板に水受槽４の外部に位置して固定されている。この冷却器ケース２２の内部空間は後ダクト２１の内部空間に後ダクト２１の下端部で接続され、後ダクト２１の内部空間はフィルタダクト２０の内部空間にフィルタダクト２０の後端部で接続されている。ファンケーシング２３は空気を吸引するための吸気口および空気を排出するための排気口のそれぞれを有するものであり、ファンケーシング２３の吸気口は冷却器ケース２２の内部空間に冷却器ケース２２の上端部で接続されている。
【００１５】
外箱１の内部には、図４に示すように、水受槽４の上方に位置してヒータケース２４および入口ダクト２５のそれぞれが収納されている。ヒータケース２４は前後方向へ斜めに指向する角筒状をなすものであり、ヒータケース２４の内部空間はファンケーシング２３の内部空間にファンケーシング２３の排気口で接続されている。入口ダクト２５は上下方向へ指向する円筒状をなすものであり、入口ダクト２５の内部空間はヒータケース２４の内部空間にヒータケース２４の後端部で接続され、水受槽４の内部空間に水受槽４の後端部で接続されている。
【００１６】
ファンケーシング２３には、図４に示すように、ファンケーシング２３の外部に位置してファンモータ２６が固定されている。このファンモータ２６は、図２に示すように、上下方向へ指向する回転軸を有するものであり、ファンモータ２６の回転軸はファンケーシング２３の内部に挿入されている。このファンモータ２６の回転軸にはファンケーシング２３の内部に位置してファン２７が固定されており、ファンモータ２６が扉３の閉鎖状態で運転された場合にはファン２７が一定方向へ回転することで水受槽４の内部の空気が出口ダクト１５からフィルタケース１６とフィルタダクト２０と後ダクト２１と冷却器ケース２２とファンケーシング２３とヒータケース２４と入口ダクト２５のそれぞれを順に通って水受槽４の内部に戻される。即ち、水受槽４と出口ダクト１５とフィルタケース１６とフィルタダクト２０と後ダクト２１と冷却器ケース２２とファンケーシング２３とヒータケース２４と入口ダクト２５は水受槽４を経路の一部とする環状の通風路に相当し、ファンモータ２６およびファン２７は水受槽４内の空気を通風路に沿って循環させるファン装置に相当する。
【００１７】
ヒータケース２４の内部には、図２に示すように、電気的なヒータ２８が収納されている。これらヒータケース２４およびヒータ２８は加熱器に相当するものであり、ファンモータ２６およびヒータ２８のそれぞれの運転状態ではヒータ２８が通風路に沿って循環する空気をヒータケース２４の内部で加熱する。即ち、ドラム７内に未乾燥の洗濯物が投入されている状態ではファンモータ２６およびヒータ２８のそれぞれが運転されることでドラム７内の洗濯物にドラム７の複数の貫通孔８のそれぞれを通して温風が吹付けられ、温風が洗濯物から水分を除去することで温風の湿度が高くなる。この高湿度な温風は出口ダクト１５からフィルタケース１６とフィルタダクト２０と後ダクト２１のそれぞれを順に通って冷却器ケース２２内に進入する。
【００１８】
冷却器ケース２２には、図４に示すように、筒状の散水口２９が固定されており、散水口２９の一端部は冷却器ケース２２内に挿入されている。この散水口２９の他端部は、図２に示すように、散水弁３０を介して水道の蛇口に接続されている。この散水弁３０は散水弁ソレノイド３１（図３参照）を駆動源とするものであり、散水弁ソレノイド３１の電気的なオフ状態で閉鎖状態になる。この散水弁３０は散水弁ソレノイド３１の電気的なオン状態で開放状態になるものであり、散水弁３０の開放状態では散水口２９の一端部から冷却器ケース２２内に水道水が注入される。
【００１９】
冷却器ケース２２の最低部には、図４に示すように、排水口３２が接続されている。この排水口３２はホースを介して水受槽４の排水管１２に排水弁１３よりも水の流れの下流側で接続されており、散水口２９から冷却器ケース２２内に注入された水道水は排水口３２から水受槽４の排水管１２を通して排出される。これら冷却器ケース２２と散水口２９と散水弁３０と排水口３２は冷却器に相当するものであり、散水弁３０がファンモータ２６およびヒータ２８のそれぞれの運転状態で開放状態にされている場合には高湿度な温風が冷却器ケース２２の内部で水道水に接触し、水道水が高湿度な温風を冷却することで除湿する。この冷却風はヒータケース２４内で加熱されることで温風化され、ドラム７内の洗濯物に除湿後の低湿度な温風が吹付けられる。
【００２０】
フィルタケース１６の内部には、図６に示すように、リントフィルター装置９０が着脱可能に内設されており、その構成部品であるフィルタフレーム３３が収納されている。このフィルタフレーム３３は左側板と右側板と天板のそれぞれを有するものであり、前面と後面と下面のそれぞれが開口している。このフィルタフレーム３３にはカバー３４が固定されている。このカバー３４はフィルタフレーム３３の天板の上方に配置されたものであり、カバー部材に相当する。このカバー３４は水平な板状をなすものであり、フィルタフレーム３３はカバー３４がフィルタケース１６の上端部で支持されることからフィルタケース１６内の上下方向の目標位置に配置保持され、フィルタケース１６の上面はカバー３４がフィルタケース１６の上端部で支持されたカバー３４の閉鎖状態で閉鎖される。このフィルタフレーム３３には左右方向へ指向する複数のリブ３５が固定されている。これら複数のリブ３５は上下方向に一列に並ぶものであり、上下方向に隣接するリブ３５相互間には空気が通過することが可能な隙間が形成されている。これら複数のリブ３５のそれぞれはフィルタフレーム３３の左側板および右側板相互間に介在されたものであり、ファンモータ２６の運転状態では空気がリブ３５相互間の隙間を通って通風路内を循環する。
【００２１】
フィルタフレーム３３には、図６に示すように、前リントフィルタ３６が固定されている。この前リントフィルタ３６はフィルタフレーム３３の下面および後面のそれぞれを覆うものであり、複数の通気孔を有している。これら複数の通気孔のそれぞれは空気が通過することが可能でリントが通過することが不能なものであり、ファンモータ２６の運転状態では水受槽４内の空気が前リントフィルタ３６の通気孔を通過するときに前リントフィルタ３６が空気中のリントを捕捉する。フィルタダクト２０の内部には後リントフィルタ３７が固定されている。この後リントフィルタ３７は前リントフィルタ３６に比べて空気の流れの下流側に配置されたものであり、複数の通気孔を有している。これら複数の通気孔のそれぞれは前リントフィルタ３６の通気孔に比べて面積が小さなものであり、ファンモータ２６の運転状態では水受槽４内の空気が後リントフィルタ３７の通気孔を通過するときに後リントフィルタ３７が前リントフィルタ３６に比べて小さなリントを捕捉する。これら前リントフィルタ３６および後リントフィルタ３７のそれぞれはフィルタ部材に相当する。
【００２２】
外箱１の天板には、図１に示すように、貫通孔状の着脱口３８が形成されており、フィルタフレーム３３のカバー３４は、図６に示すように、点検口４０を閉鎖する閉鎖状態で着脱口３８の開口縁部で支持される。このカバー３４には、図１に示すように、使用者が手指を引掛けることが可能な凹状の手掛部３９が形成されており、フィルタフレーム３３は使用者が手掛部３９に手指を引掛けてカバー３４を持上げることでフィルタケース１６の点検口４０（図５参照）および外箱１の着脱口３８のそれぞれを通して上方へ抜取られ、使用者が手掛部３９に手指を引掛けてフィルタフレーム３３を外箱１の着脱口３８およびフィルタケース１６の点検口４０のそれぞれを通してフィルタケース１６内に挿入した場合にはカバー３４が着脱口３８の開口縁部で支持されることからフィルタフレーム３３がフィルタケース１６内の目標位置に戻される。この点検口４０はフィルタケース１６の上面の開口部を称するものであり、カバー３４がフィルタフレーム３３と共に外箱１の外部に抜取られたカバー３４の開放状態で開放状態になる。この点検口４０は着脱口３８およびカバー３４のそれぞれに比べて面積が小さなものであり、使用者はカバー３４の開放状態でフィルタケース１６の内部を着脱口３８および点検口４０のそれぞれを通して覗き込み、フィルタケース１６の内面に対するリント等の異物の付着状態を目視で点検できる。即ち、カバー３４は使用者が閉鎖状態および開放状態相互間で操作することが可能なものであり、点検口４０はカバー３４の開放状態で開放されると共にカバー３４の閉鎖状態で閉鎖される。図５の符号９０はフィルタフレーム３３とカバー３４と前リントフィルタ３６から構成されるリントフィルター装置であり、リントフィルター装置９０は着脱口３８および点検口４０のそれぞれの閉鎖状態でフィルタケース１６の内部に着脱可能に装着される。
【００２３】
フィルタケース１６の後板には、図６に示すように、ミラーケース４１が固定されている。このミラーケース４１は前面が開口する箱状をなすものであり、左側板と右側板と底板と天板と後板を有している。このミラーケース４１の内部にはミラーフレーム４２が収納されている。このミラーフレーム４２は支持部材に相当するものであり、前面および後面のそれぞれが開口する矩形枠状をなしている。このミラーフレーム４２の上端部には左右方向へ指向する水平な軸４３が固定されている。この軸４３はミラーケース４１の左側板および右側板のそれぞれに回転可能に支持されたものであり、ミラーフレーム４２は軸４３を中心に前後方向へ傾斜する。このミラーフレーム４２はミラーケース４１に対して着脱不能にされたものであり、ミラーフレーム４２の内周面には矩形板状のミラー４４が着脱可能に嵌合されている。このミラー４４は鉄等の強磁性材からなるものであり、ミラー４４の前面の全体には鏡面状の反射層が形成されている。このミラー４４は反射部材に相当する。
【００２４】
ミラーフレーム４２の内周面には、図６に示すように、永久磁石４５が着脱不能に固定されている。この永久磁石４５はミラー４４を磁力で吸引することでミラーフレーム４２の内周面に対して着脱可能に保持するものであり、ミラー４４は次の１）の手順でミラーフレーム４２の内周面から外箱１の外部に抜取られ、次の２）の手順で外箱１の外部からミラーフレーム４２の内周面に戻される。
１）フィルタフレーム３３のカバー３４を持上げ、フィルタフレーム３３を点検口４０および着脱口３８のそれぞれを通して外箱１の外部に抜取ることで着脱口３８および点検口４０のそれぞれを開放状態にする。これら着脱口３８および点検口４０のそれぞれの開放状態で外箱１の外部から着脱口３８および点検口４０のそれぞれを通してフィルタケース１６内に手指または工具を挿入し、ミラー４４をフィルタケース１６内でミラーフレーム４２の内周面から永久磁石４５の磁力に抗して取外す。このミラー４２を点検口４０および着脱口３８のそれぞれを通して外箱１の外部に抜取る。
２）ミラー４４を着脱口３８および点検口４０のそれぞれの開放状態で外箱１の外部から着脱口３８および点検口４０のそれぞれを通してフィルタケース１６内に挿入し、フィルタケース１６内でミラーフレーム４２の内周面に嵌合することで永久磁石４５の磁力で保持する。この作業は使用者が手指または工具で行うものであり、ミラー４４の嵌合状態でフィルタフレーム３３をフィルタケース１６内に着脱口３８および点検口４０のそれぞれを通して挿入し、フィルタフレーム３３のカバー３４をフィルタケース１６の上端部に載せることで着脱口３８および点検口４０のそれぞれを閉鎖状態に戻す。
【００２５】
ミラーケース４１の内部には、図６に示すように、モータケース４６が着脱不能に固定されており、モータケース４６の内部には、図７に示すように、ミラーモータ４７が固定されている。このミラーモータ４７はステッピングモータからなるものであり、左右方向へ指向する回転軸４８を有している。このミラーモータ４７の回転軸４８には回転子４９が固定されている。この回転子４９は左右方向へ指向する円柱状をなすものであり、回転軸４８の軸心線は回転子４９の軸心線に重ねて配置されている。この回転子４９の外周部にはカム５０が固定されている。このカム５０は左右方向へ指向するピン状をなすものであり、ミラーモータ４７の運転状態で回転軸４８を中心に円周方向へ移動する。
【００２６】
モータケース４６の前端部には、図７に示すように、前後方向へ指向する円筒状のロッド受け５１が固定されており、ロッド受け５１の内周面には円筒状のスライダ５２が挿入されている。このスライダ５２はロッド受け５１の内周面に沿って前後方向へ直線的に移動するものであり、スライダ５２の前端部にはロッド５３およびばね受け５４のそれぞれが固定されている。これらロッド５３およびばね受け５４のそれぞれは円柱状をなすものであり、ばね受け５４の外周面にはスプリング５５の前端部が嵌合されている。
【００２７】
モータケース４６の内部には、図７に示すように、プレート５６が固定されている。このプレート５６には円筒状のばね受け５７が固定されており、ばね受け５７の内周面にはスプリング５５の後端部が嵌合されている。このスプリング５５は圧縮コイルスプリングからなるものであり、ロッド５３にはスプリング５５のばね力がスライダ５２を介して付与されている。このスライダ５２には従動プレート５８が固定されている。この従動プレート５８は矩形状の貫通孔５９を有するものであり、貫通孔５９内にはカム５０が挿入されている。この貫通孔５９の内面のうち後方の垂直な一つはカム面６０として機能するものであり、ミラーモータ４７の回転軸４８が機械的な前限度角度に静止している場合にはカム５０がカム面６０にカム面６０の上下方向の中心部で接触する。このミラーモータ４７の前限度角度はカム５０が回転軸４８の軸心線を通る水平線上に回転軸４８の前方で静止した位置であり、ミラーモータ４７の前限度角度ではロッド５３がロッド受け５１の前端面から前方へ最大限に突出した前限度位置にミラーモータ４７の自己保持力（ディテントトルク）で静止する。
【００２８】
ミラーモータ４７の回転軸４８の機械的な回転角度には格納角度および後限度角度のそれぞれが設定されている。格納角度は、図８に示すように、ミラーモータ４７の回転軸４８が前限度角度から正方向（図７の矢印方向）へ１８０°回転した角度であり、ミラーモータ４７の回転軸４８が格納角度に静止している場合にはカム５０がカム面６０に上下方向の中心部で接触する。このミラーモータ４７の回転軸４８が格納角度に静止している場合にはカム５０がミラーモータ４７の自己保持力でカム面６０をスプリング５５のばね力に抗して前方から支持し、ロッド５３がロッド受け５１の前端面から後方へ最大限に後退した格納位置に静止する。後限度角度はミラーモータ４７の回転軸４８が前限度角度から正方向へθ°（＜１８０°）回転した角度であり、ミラーモータ４７の回転軸４８が後限度角度に静止している場合にはロッド５３がミラーモータ４７の自己保持力で前限度位置および格納位置相互間の後限度位置に静止する。
【００２９】
ミラーフレーム４２の内周面には、図６に示すように、連結プレート６１が固定されている。この連結プレート６１は長孔６２を有するものであり、長孔６２内には水平な円柱状の連結ピン６３が移動可能に挿入されている。この連結ピン６３はロッド５３に連結されており、ミラーモータ４７の前限度角度および後限度角度のそれぞれではロッド５３が連結ピン６３を介して連結プレート６１を前方へ押圧することでミラーフレーム４２がスプリング５５のばね力で傾斜状態に静止し、ミラーモータ４７の格納角度ではミラーフレーム４２が垂直状態に静止する。図６の（ｂ）はミラー４４をミラーモータ４７の格納角度で示すものであり、ミラーモータ４７の格納角度ではミラー４４の反射面の垂直線に対する傾斜角度が格納値（０°）になる。
【００３０】
図９の（ａ）はミラーフレーム４２をミラーモータ４７の前限度角度で示すものであり、ミラーモータ４７の前限度角度ではミラー４４の反射面の垂直線に対する傾斜角度が前限度値θｆ°（＞０°）になる。図９の（ｂ）はミラーフレーム４２をミラーモータ４７の後限度角度で示すものであり、ミラーモータ４７の後限度角度ではミラー４４の反射面の垂直線に対する傾斜角度が後限度値θｒ°（＜θｆ°）になる。この反射面の傾斜角度が後限度値θｒ°以上であって前限度値θｆ°以下の有効範囲内にある状態で外箱１の着脱口３８およびフィルタケース１６の点検口４０のそれぞれが開放された場合には外箱１の外部から着脱口３８および点検口４０のそれぞれを通ってフィルタケース１６の内部に光が進入し、フィルタケース１６の内部に進入した光がミラー４４の反射面からフィルタダクト２０の屈曲部１９に向けて反射されることでフィルタダクト２０の屈曲部１９がミラー４４の反射面に映る。このミラー４４の反射面は、図１５に示すように、傾斜角度がθｒ°〜θｆ°の有効範囲内にある状態で使用者が着脱口３８および点検口４０のそれぞれを通してフィルタケース１６の内部を前から後に向けて下降するように斜めに覗き込んだ場合に目視で認識可能なものであり、使用者はフィルタフレーム３３のカバー３４を取外すことでフィルタダクト２０の屈曲部１９をミラー４４の反射面に映る映像として目視で確認できる。
【００３１】
フィルタダクト２０の屈曲部１９はファンモータ２６の運転状態であってもリントを運搬することが可能な速度で空気が流れない部分であり、屈曲部１９には前リントフィルタ３６を通過したリントが溜まる。この屈曲部１９はフィルタダクト２０内の最前部に位置しており、使用者が着脱口３８および点検口４０のそれぞれを通してフィルタケース２４の内部を前から後に向けて下降するように斜めに覗き込んだ場合には外箱１の天板およびフィルタフレーム３３の複数のリブ３５の双方の障害物で視覚的に遮蔽される。この屈曲部１９は通風路内の点検領域に相当し、ミラーモータ４７とカム５０とロッド受け５１とスライダ５２とロッド５３とスプリング５５と従動プレート５８と連結ピン６３はミラー４４の屈曲部１９に対する傾斜量を調整する傾斜機構に相当し、ミラーモータ４７は傾斜機構の駆動源およびロッドモータのそれぞれに相当する。
【００３２】
外箱１の前板には、図１に示すように、操作パネル６４が固定されており、操作パネル６４には、図１０に示すように、ダイアル６５が前後方向へ指向する軸を中心に回転可能に装着されている。このダイアル６５は使用者が操作することが可能なものであり、ダイアル６５の軸にはエンコーダ６６（図３参照）の回転軸が連結されている。このエンコーダ６６はダイアル６５が時計回り方向および反時計回り方向のそれぞれへ一定角度だけ回転操作される毎にＡ相の１個のパルス信号を出力する回転形のものであり、ダイアル６５が時計回り方向および反時計回り方向のそれぞれへ一定角度だけ回転操作される毎にＡ相のパルス信号に対して位相がずれたＢ相のパルス信号を出力する。このダイアル６５は操作子に相当する。
【００３３】
操作パネル６４には、図１０に示すように、洗いスイッチ６７とすすぎスイッチ６８と脱水スイッチ６９と乾燥スイッチ７０とスタートスイッチ７１のそれぞれが装着されている。これら洗いスイッチ６７〜スタートスイッチ７１のそれぞれは使用者が操作することが可能なものであり、使用者が操作することで電気的なオフ状態からオン状態に変化する。操作パネル６４には表示器８８が固定されている。この表示器８８は液晶表示器からなるものであり、表示器８８には運転情報が表示される。
【００３４】
図３の主制御回路７２はマイクロコンピュータを主体に構成されたものであり、ＣＰＵとＲＯＭとＲＡＭとＥＥＰＲＯＭを有している。この主制御回路７２は外箱１の内部に固定されたものであり、洗いスイッチ６７〜スタートスイッチ７１のそれぞれが操作されたか否かをオフ状態からオン状態に変化したか否かで判断する。この主制御回路７２はエンコーダ６６から出力されるＡ相のパルス信号の数を計測するものであり、エンコーダ６６から出力されるＡ相のパルス信号およびＢ相のパルス信号相互間の位相のずれに応じてダイアル６５の操作方向が時計回り方向および反時計回り方向のいずれであるかを判断する。この主制御回路７２は傾斜角設定手段および傾斜角調整手段のそれぞれに相当する。
【００３５】
図３の水位センサ７３は水受槽４内の水位の高さに応じた大きさの水位信号を出力するものであり、主制御回路７２のＣＰＵは水位信号の大きさから水受槽４内の水位の高さを検出する。入口温度センサ７４は入口ダクト２５内に固定されたものである。この入口温度センサ７４はヒータ２８から水受槽４内に注入される温風の温度に応じた大きさの温度信号を出力するものであり、主制御回路７２のＣＰＵは入口温度センサ７４から出力される温度信号に基づいてドラム７内の洗濯物に吹付けられる前の温風の温度である入口温度を検出する。出口温度センサ７５は出口ダクト１５内に固定されたものである。この出口温度センサ７５はドラム７内から出口ダクト１５内に戻される温風の温度に応じた大きさの温度信号を出力するものであり、主制御回路７２のＣＰＵは出口温度センサ７５から出力される温度信号に基づいてドラム７内の洗濯物に吹付けられた後の温風の温度である出口温度を検出する。
【００３６】
図３のＬＣＤ駆動回路７６は表示器８８に駆動電源を印加するものであり、主制御回路７２のＣＰＵはＬＣＤ駆動回路７６を電気的に制御することで表示器８８に運転情報を表示する。ソレノイド駆動回路７７は給水弁ソレノイド１１に駆動電源を印加するものであり、主制御回路７２のＣＰＵはソレノイド駆動回路７７を電気的に制御することで給水弁１０を開閉操作する。モータ駆動回路７８は排水弁モータ１４に駆動電源を印加するものであり、主制御回路７２のＣＰＵはモータ駆動回路７８を電気的に制御することで排水弁１３を開閉操作する。モータ駆動回路７９はファンモータ２６に駆動電源を印加するものであり、主制御回路７２のＣＰＵはモータ駆動回路７９を電気的に制御することでファンモータ２６を電気的にオンオフし、ファン２７を一定方向へ回転する運転状態および静止した運転停止状態相互間で操作する。ヒータ駆動回路８０はヒータ２８に駆動電源を印加するものであり、主制御回路７２のＣＰＵはヒータ駆動回路８０を電気的に制御することでヒータ２８をオンオフ操作する。ソレノイド駆動回路８１は散水弁ソレノイド３１に駆動電源を印加するものであり、主制御回路７２のＣＰＵはソレノイド駆動回路８１を電気的に制御することで散水弁３０を開閉操作する。モータ駆動回路８２はミラーモータ４７に駆動電源を印加するものであり、主制御回路７２のＣＰＵはモータ駆動回路８２を電気的に制御することでミラー４４の傾斜角度を調整する。
【００３７】
図３のインバータ制御回路８３はマイクロコンピュータを主体に構成されたものであり、ＣＰＵとＲＯＭとＲＡＭを有している。速度センサ８４はドラムモータ５のステータに固定されたホールＩＣからなるものである。この速度センサ８４はドラムモータ５のロータマグネットから磁界が作用することで電気的な状態が変化するものであり、インバータ制御回路８３は速度センサ８４の電気的な状態が単位時間当りにどれだけ変化したかを計測することでドラムモータ５の回転速度を検出する。インバータ回路８５は直流電源を交流電源に変換することでドラムモータ５の駆動電源を生成するものであり、インバータ制御回路８３は目標速度の設定結果および回転速度の計測結果相互間の偏差を演算し、インバータ回路８５を偏差の演算結果に応じて電気的に制御することでドラムモータ５を目標速度の設定結果で回転操作する。
【００３８】
操作パネル６４には、図１０に示すように、入スイッチ８６および切スイッチ８７のそれぞれが装着されている。これら入スイッチ８６および切スイッチ８７のそれぞれは使用者が操作することが可能なものであり、操作力が加えられることでオン状態になり、操作力が消滅することでオフ状態に自己復帰する。入スイッチ８６は商用交流電源を電源基板に供給する給電路に介在されたものであり、入スイッチ８６のオン状態では商用交流電源が入スイッチ８６を通して電源基板に供給される。この電源基板は主制御回路７２を含む図３の全ての電気部品の駆動電源を商用交流電源に基づいて生成するものであり、主制御回路７２は入スイッチ８６がオン状態に操作されることで起動して電源リレーをオフ状態からオン状態に切換える。この電源リレーは電源基板の給電路に入スイッチ８６に対して並列に介在されたものであり、入スイッチ８６のオフ状態で電源リレーがオンされている場合には商用交流電源が電源リレーを通して電源基板に供給される。この電源リレーは主制御回路７２が運転コースの終了を判断した場合および切スイッチ８７のオンを判断した場合のそれぞれにオン状態からオフ状態に切換えるものであり、入スイッチ８６のオフ状態で電源リレーがオン状態からオフ状態に切換えられた場合には商用交流電源が遮断されることで主制御回路７２が電気的な停止状態になる。
【００３９】
図１１は主制御回路７２のＲＯＭに予め記録された運転制御プログラムであり、主制御回路７２のＣＰＵは入スイッチ８６がオン状態に操作されることで起動した場合にはステップＳ１で電源リレーをオフ状態からオン状態に切換え、ステップＳ２で割込み禁止を設定することでタイマ割込み処理が起動することを禁止する。そして、ステップＳ３の初期化処理でＲＡＭを初期設定し、ステップＳ４で運転コースを標準洗乾コースに初期設定する。次にステップＳ５でＲＡＭのタイマＴ１の値およびタイマＴ２の値のそれぞれにＲＯＭに予め記録された初期値（０）を設定し、ステップＳ６で割込み禁止の設定を解除することでタイマ割込み処理が起動することを許容する。
【００４０】
図１２はタイマ割込み処理である。このタイマ割込み処理は予め決められた一定時間（０．１秒）が経過する毎に起動するものであり、主制御回路７２のＣＰＵはステップＳ３１でＲＡＭのタイマＴ１の値をＲＯＭに予め記録された上限値（１０．０）と比較する。ここでタイマＴ１の値が上限値に到達していないと判断した場合にはステップＳ３２へ移行し、タイマＴ１の値に一定値（０．１）を加算する。
【００４１】
主制御回路７２のＣＰＵはステップＳ３３へ移行すると、ＲＡＭのタイマＴ２の値をＲＯＭに予め記録された上限値（３．０）と比較する。ここでタイマＴ２の値が上限値に到達していないと判断した場合にはステップＳ３４へ移行し、タイマＴ２の値に一定値（０．１）を加算する。即ち、タイマＴ１の値およびタイマＴ２の値のそれぞれは零から上限値に加算されるものであり、上限値に加算された状態では加算されない。
【００４２】
主制御回路７２のＣＰＵは図１１のステップＳ６で割込み禁止の設定を解除すると、ステップＳ７で洗いスイッチ６７および脱水スイッチ６９のそれぞれがオン状態にあるか否かを判断する。ここで洗いスイッチ６７がオフ状態にあると判断した場合と脱水スイッチ６９がオフ状態にあると判断した場合と洗いスイッチ６７および脱水スイッチ６９の双方がオフ状態にあると判断した場合のそれぞれにはステップＳ８へ移行し、ＲＡＭのフラグＦ１の値がオン状態（１）に設定されているか否かを判断する。このフラグＦ１の値は洗いスイッチ６７および脱水スイッチ６７が相互に同時に操作されていたか否かを示すものであり、ステップＳ３でオフ状態（０）に初期設定される。
【００４３】
主制御回路７２のＣＰＵはステップＳ８でＲＡＭのフラグＦ１の値がオフ状態に設定されていると判断すると、ステップＳ１０の運転コース設定処理へ移行する。この運転コース設定処理はエンコーダ６６からのパルス信号を検出することに応じてダイアル６５の回転方向を判断し、ダイアル６５の回転方向が時計回り方向であると判断した場合にはＲＡＭのカウンタＮ１の値に一定値を加算し、ダイアル６５の回転方向が反時計回り方向であると判断した場合にはＲＡＭのカウンタＮ１の値から一定値を減算するものであり、ＣＰＵはカウンタＮ１の値を加算した場合および減算した場合のそれぞれにはＲＯＭに予め記録された複数の運転コースのうちからカウンタＮ１の値の更新結果に応じた一つの運転コースを選択し、運転コースの現在の設定結果を選択結果に変更する。
【００４４】
主制御回路７２のＣＰＵはステップＳ１０の運転コース設定処理を終えると、ステップＳ１１の運転情報設定処理へ移行する。この運転情報設定処理は洗いスイッチ６７とすすぎスイッチ６８と脱水スイッチ６９と乾燥スイッチ７０のそれぞれがオン状態にあるか否かを判断するものであり、ＣＰＵは洗いスイッチ６７がオン状態にあると判断した場合には運転コースの設定結果のうち洗い処理の処理内容を洗いスイッチ６７の操作内容に応じて設定し、すすぎスイッチ６８がオン状態にあると判断した場合には運転コースの設定結果のうちすすぎ処理の処理内容をすすぎスイッチ６８の操作内容に応じて設定し、脱水スイッチ６９がオン状態にあると判断した場合には運転コースの設定結果のうち脱水処理の処理内容を脱水スイッチ６９の操作内容に応じて設定し、乾燥スイッチ７０がオン状態にあると判断した場合には運転コースの設定結果のうち乾燥処理の内容を乾燥スイッチ７０の操作内容に応じて設定する。これら洗いスイッチ６７〜乾燥スイッチ７０のそれぞれの操作を標準操作と称する。
【００４５】
主制御回路７２のＣＰＵはステップＳ１１の運転情報設定処理を終えると、ステップＳ１２でスタートスイッチ７１がオン状態にあるか否かを判断する。ここでスタートスイッチ７１がオン状態にないと判断した場合にはステップＳ１３へ移行し、ＲＡＭのタイマＴ１の値が上限値に到達したか否かを判断する。ここでタイマＴ１の値が上限値に到達していないと判断した場合にはステップＳ７に復帰し、タイマＴ１の値が上限値に到達していると判断した場合にはステップＳ１０に復帰する。即ち、洗いスイッチ６７および脱水スイッチ６９が相互に同時に操作されているか否は電源が投入されてからタイマＴ１の値の上限値に応じた一定時間が経過するまで判断されるものであり、使用者が電源を投入してから一定時間が経過した後に洗いスイッチ６７および脱水スイッチ６９を相互に同時に操作した場合には洗いスイッチ６７および脱水スイッチ６９の同時操作が無効化される。
【００４６】
主制御回路７２のＣＰＵはステップＳ１２でスタートスイッチ７１がオン状態にあると判断すると、ステップＳ１４でＥＥＰＲＯＭからカウンタＮ２の値を検出する。このＥＥＰＲＯＭのカウンタＮ２の値はミラー４４の現在の傾斜角度に相当するものであり、ミラー４４の現在の傾斜角度が前限度値である場合に上限値（１０）になり、ミラー４４の現在の傾斜角度が後限度値である場合に下限値（−１０）になり、ミラー４４の現在の傾斜角度が格納値（０°）である場合に下限値に比べて小さな無効値（−１５）になる。
【００４７】
主制御回路７２のＣＰＵはステップＳ１４でＥＥＰＲＯＭからカウンタＮ２の値を検出すると、ステップＳ１５で駆動信号を設定する。この駆動信号は無効値からカウンタＮ２の値の検出結果を減算することで設定されるものであり、ＣＰＵはステップＳ１５で駆動信号を設定した場合にはステップＳ１６で駆動信号の設定結果をモータ駆動回路８２に出力することでミラーモータ４７の回転軸４８を図７の矢印方向へ操作し、ミラー４４の傾斜角度を現在値から格納値（０°）に変更する。
【００４８】
主制御回路７２のＣＰＵは図１１のステップＳ１６でミラー４４の傾斜角度を格納値に変更すると、ステップＳ１７の運転コース実行処理へ移行する。この運転コース実行処理はドラムモータ５と給水弁ソレノイド１１と排水弁モータ１４とファンモータ２６と散水弁ソレノイド３１のそれぞれを電気的に制御することで洗濯物量判定処理と洗い処理とすすぎ処理と脱水処理と乾燥処理を当該順序で行うものであり、ＣＰＵは乾燥処理を開始した場合にはＲＡＭのフラグＦ２の値をオフ状態（０）からオン状態（１）に変更し、乾燥処理を終了した場合にはＲＡＭのフラグＦ２の値をオン状態からオフ状態（１）に変更する。
【００４９】
洗濯物量判定処理は主制御回路７２のＣＰＵがインバータ制御回路８３にセンシングコマンドを送信することで開始されるものであり、インバータ制御回路８３のＣＰＵはセンシングコマンドを受信した場合にはドラムモータ５を一定の加速パターンで運転開始し、ドラムモータ５を加速パターンで運転しながらドラムモータ５の回転速度を検出する。このドラムモータ５の回転速度の検出結果が一定値に到達するまでの所要時間を検出し、所要時間の検出結果を主制御回路７２に送信する。この主制御回路７２のＣＰＵは所要時間の送信結果を受信した場合には所要時間の受信結果をＲＯＭに予め記録された複数の閾値のそれぞれと比較し、ドラム７内の洗濯物の重量を所要時間の閾値に対する比較結果に応じて段階的に判定する。
【００５０】
洗い処理は水受槽４内に洗濯物量の判定結果に応じた水位の水道水を貯留し、ドラムモータ５を水道水の貯留状態で運転することでドラム７内の洗濯物を撹拌するものである。この洗い処理は洗剤の投入状態で行われるものであり、ドラム７内の洗濯物は洗剤分を含有する水道水中で撹拌される。この洗い処理はステップＳ１１で洗いスイッチ６７の操作内容に応じて洗い処理の処理内容が設定されている場合には洗いスイッチ６７の操作内容に応じた処理内容の設定結果で行われるものであり、洗いスイッチ６７の操作内容に応じて洗い処理の処理内容が設定されていない場合には洗濯物量の判定結果および運転コースの設定結果のそれぞれに応じた処理内容で行われる。
【００５１】
すすぎ処理は水受槽４内に洗濯物量の判定結果に応じた水位の水道水を貯留し、ドラムモータ５を水道水の貯留状態で運転することでドラム７内の洗濯物を撹拌するものである。このすすぎ処理は洗剤の非投入状態で行われるものであり、ドラム７内の洗濯物は洗剤分を含有しない水道水中で撹拌される。このすすぎ処理はステップＳ１１ですすぎスイッチ６８の操作内容に応じてすすぎ処理の処理内容が設定されている場合にはすすぎスイッチ６８の操作内容に応じた処理内容の設定結果で行われるものであり、すすぎスイッチ６８の操作内容に応じてすすぎ処理の処理内容が設定されていない場合には洗濯物量の判定結果および運転コースの設定結果のそれぞれに応じた処理内容で行われる。
【００５２】
脱水処理はドラムモータ５を運転することでドラム７内の洗濯物から水分を遠心力で放出するものである。この脱水処理はステップＳ１１で脱水スイッチ６９の操作内容に応じて脱水処理の処理内容が設定されている場合には脱水スイッチ６９の操作内容に応じた処理内容の設定結果で行われるものであり、脱水スイッチ６９の操作内容に応じて脱水処理の処理内容が設定されていない場合には洗濯物量の判定結果および運転コースの設定結果のそれぞれに応じた処理内容で行われる。
【００５３】
乾燥処理は散水弁３０の開放状態でファンモータ２６およびヒータ２８のそれぞれを運転することでドラム７内の洗濯物を温風で乾かすものである。この乾燥処理はステップＳ１１で乾燥スイッチ７０の操作内容に応じて乾燥処理の処理内容が設定されている場合には乾燥スイッチ７０の操作内容に応じた処理内容の設定結果で行われるものであり、乾燥スイッチ７０の操作内容に応じて乾燥処理の処理内容が設定されていない場合には洗濯物量の判定結果および運転コースの設定結果のそれぞれに応じた処理内容で行われる。この乾燥処理では主制御回路７２のＣＰＵは入口温度センサ７４からの温度信号に応じて入口温度を検出し、出口温度センサ７５からの温度信号に応じて出口温度を検出し、入口温度の検出結果が一定の目標温度に収束するようにヒータ２８をオンオフ制御する。この乾燥処理では主制御回路７２のＣＰＵは乾燥率「１００×（入口温度の検出結果／出口温度の検出結果）」を演算しており、乾燥率の演算結果が目標値に到達したと判断した場合に乾燥処理を終える。
【００５４】
主制御回路７２のＣＰＵはステップＳ１７の運転コース実行処理を終えると、ステップＳ１８の傾斜角復旧処理へ移行する。この傾斜角復旧処理はミラー４４の傾斜角度を無効値からＥＥＰＲＯＭのカウンタＮ２の値に応じた値に戻すものであり、ＣＰＵはステップＳ１８でＥＥＰＲＯＭのカウンタＮ２の値を検出する。このカウンタＮ２の値の検出結果から無効値を減算し、カウンタＮ２の値の減算結果に応じて駆動信号を設定する。この駆動信号の設定結果でミラーモータ４７を駆動することでミラーモータ４７の回転軸４８を図８の反矢印方向へ回転操作し、ミラー４４の傾斜角度を無効値からＥＥＰＲＯＭのカウンタＮ２の値に応じた値に戻す。
【００５５】
主制御回路７２のＣＰＵはステップＳ１８の傾斜角復旧処理を終えると、ステップＳ１９で電源リレーをオフすることで電源を遮断する。この電源の遮断状態ではミラー４４がミラーモータ４７の自己保持力でＥＥＰＲＯＭのカウンタＮ２の値に応じた傾斜角度に静止する。従って、使用者はフィルタフレーム３３のカバー３４を外箱１の着脱口３８から取外すことで着脱口３８および点検口４０のそれぞれを開放し、フィルタダクト２０の屈曲部１９に対する異物の付着状態をミラー４４の反射面で確認し、フィルタダクト２０の屈曲部１９に異物が付着していることを確認した場合には着脱口３８および点検口４０のそれぞれを通してフィルタダクト２０の屈曲部１９を清掃することができる。また、使用者は必要時に着脱口３８および点検口４０のそれぞれを開放し、着脱口３８および点検口４０のそれぞれを通してミラー４４をミラーフレーム４２から取外し、ミラー４４の反射面を清掃することができる。
【００５６】
主制御回路７２のＣＰＵはステップＳ７で洗いスイッチ６７および脱水スイッチ６９のそれぞれがオン状態にあると判断すると、ステップＳ２０でＲＡＭのフラグＦ１の値がオフ状態に設定されているか否かを判断する。ここでフラグＦ１の値がオフ状態に設定されていると判断した場合にはステップＳ２１でＲＡＭのタイマＴ２の値に初期値（０）を設定し、ステップＳ２２でＲＡＭのフラグＦ１の値をオン状態に設定し、ステップＳ７に復帰する。ここで洗いスイッチ６７および脱水スイッチ６９のそれぞれがオン状態にあると再び判断した場合にはステップＳ２０でＲＡＭのフラグＦ１の値がオン状態に設定されていると判断し、ステップＳ２３へ移行する。
【００５７】
主制御回路７２のＣＰＵはステップＳ２３へ移行すると、ＲＡＭのタイマＴ２の値を上限値と比較する。ここでタイマＴ２の値が上限値に到達していないと判断した場合にはステップＳ７に復帰する。例えば使用者が洗いスイッチ６７および脱水スイッチ６８のそれぞれを相互に同時に操作開始してから限度時間（３．０秒）が経過する前に洗いスイッチ６７から操作力を除去した場合と脱水スイッチ６９から操作力を除去した場合と洗いスイッチ６７および脱水スイッチ６９の双方から操作力を除去した場合のそれぞれにはＣＰＵはステップＳ７からステップＳ８へ移行し、ＲＡＭのフラグＦ１の値がオン状態に設定されていると判断する。この場合にはステップＳ９でフラグＦ１の値をオフ状態に設定し、ステップＳ１０の運転コース設定処理へ移行する。
【００５８】
主制御回路７２のＣＰＵはステップＳ２３でＲＡＭのタイマＴ２の値が上限値に到達していると判断すると、ステップＳ２４でＲＡＭのタイマＴ１の値が上限値に到達しているか否かを判断する。ここでタイマＴ１の値が上限値に到達していると判断した場合にはステップＳ１０の運転コース設定処理へ移行し、ステップＳ１２でスタートスイッチ７１がオン状態にあると判断するまでステップＳ１０〜ステップＳ１３のそれぞれを繰返す。
【００５９】
主制御回路７２のＣＰＵはステップＳ２４でＲＡＭのタイマＴ１の値が上限値に到達していないと判断すると、ステップＳ２５の傾斜角調整処理へ移行する。即ち、傾斜角調整処理は使用者が電源を投入してから一定の第１の時間内に洗いスイッチ６７および脱水スイッチ６９のそれぞれを一定の第２の時間（＜第１の時間）だけ継続的に同時操作した場合に開始されるものである。
【００６０】
図１３は傾斜角調整処理であり、主制御回路７２のＣＰＵはステップＳ４１でＥＥＰＲＯＭからカウンタＮ２の値を検出し、カウンタＮ２の値の検出結果をＲＡＭに記録する。このＥＥＰＲＯＭのカウンタＮ２の値は使用者がミラー４４の傾斜角度を１回も調整していない工場出荷状態で前限度値（１０）および後限度値（−１０）相互間の中間の標準値（０）に設定されるものであり、工場出荷段階では電源のオフ状態でミラー４４が前限度角度θｆ°および後限度角度θｒ°相互間の中間の標準角度に静止している。
【００６１】
主制御回路７２のＣＰＵはステップＳ４１でＲＡＭにカウンタＮ２の値の検出結果を記録すると、ステップＳ４２でＲＡＭのカウンタＮ２の値の記録結果に応じてミラー４４の傾斜角度を演算する。そして、ステップＳ４３で表示器８８に傾斜角度の演算結果を数値で表示し、ステップＳ４４でエンコーダ６６からのパルス信号が有るか否かを判断する。ここでエンコーダ６６からのパルス信号が有ると判断した場合にはステップＳ４５へ移行し、ダイアル６６が時計回り向へ回転操作されたか否かを判断する。
【００６２】
主制御回路７２のＣＰＵはステップＳ４５でダイアル６５が時計回り方向へ回転操作されたと判断すると、ステップＳ４６でＲＡＭのカウンタＮ２の値が上限値（１０）に到達しているか否かを判断する。この上限値はＲＯＭに予め記録されたものであり、ＣＰＵはステップＳ４６でＲＡＭのカウンタＮ２の値が上限値に到達していないと判断した場合にはステップＳ４７でＲＡＭのカウンタＮ２の値に一定値（１）を加算する。
【００６３】
主制御回路７２のＣＰＵはステップＳ４７でＲＡＭのカウンタＮ２の値を加算すると、ステップＳ４８で駆動信号を設定し、ステップＳ５２でミラーモータ４７を駆動信号の設定結果で回転操作する。この駆動信号はミラーモータ４７の回転軸４８を図８の反矢印方向へ一定の単位角度だけ回転操作するものであり、ミラー４４の垂直線に対する傾斜角度はミラーモータ４７の回転軸４８が図８の反矢印方向へ単位角度だけ回転操作されることで現在値から前限度値に向けて単位値だけ大きくなる。即ち、ミラーモータ４７は使用者が洗いスイッチ６７および脱水スイッチ６９を相互に同時操作する特殊な操作で有効状態になるものであり、使用者がミラーモータ４７の有効状態でダイアル６６を時計回り方向へ回転操作した場合にはミラー４４の傾斜角度が現在値から前限度値に向けてダイアル６５の操作量に応じた値だけ大きくなる。
【００６４】
主制御回路７２のＣＰＵはステップＳ４６でＲＡＭのカウンタＮ２の値が上限値に到達していると判断すると、ステップＳ５８で表示器８８にエラーメッセージ「鏡を操作することができません。」を表示する。即ち、ミラー４４の傾斜角度が前限度値に到達している状態では使用者がダイアル６５を時計回り方向へ回転操作してもミラー４４の傾斜角度が前限度値に向けて変化せず、ダイアル６５の操作が無効化される。
【００６５】
主制御回路７２のＣＰＵはステップＳ４５でダイアル６５が反時計回り方向へ回転操作されたと判断すると、ステップＳ４９でＲＡＭのカウンタＮ２の値が下限値（−１０）に到達しているか否かを判断する。この下限値はＲＯＭに予め記録されたものであり、ＣＰＵはステップＳ４９でＲＡＭのカウンタＮ２の値が下限値に到達していないと判断した場合にはステップＳ５０でＲＡＭのカウンタＮ２の値から一定値（１）を減算する。そして、ステップＳ５１でミラーモータ４７の駆動信号を設定し、ステップＳ５２でミラーモータ４７を駆動信号の設定結果で回転操作する。この駆動信号はミラーモータ４７の回転軸を図７の矢印方向へ一定の単位角度だけ回転操作するものであり、ミラー４４の傾斜角度はミラーモータ４７が駆動信号の設定結果で回転操作されることで現在値から後限度値に向けて単位値だけ小さくなる。即ち、使用者がミラーモータ４７の有効状態でダイアル６６を反時計回り方向へ回転操作した場合にはミラー４４の傾斜角度が現在値から後限度値に向けてダイアル６５の操作量に応じた値だけ小さくなる。
【００６６】
主制御回路７２のＣＰＵはステップＳ４９でＲＡＭのカウンタＮ２の値が下限値に到達していると判断すると、ステップＳ５８で表示器８８にエラーメッセージ「鏡を操作することができません。」を表示する。即ち、ミラー４４の傾斜角度が後限度値に到達している状態では使用者がダイアル６５を反時計回り方向へ回転操作してもミラー４４の傾斜角度が後限度値に向けて変化しない。
【００６７】
主制御回路７２のＣＰＵはステップＳ５２でミラー４４を傾斜させると、ステップＳ５３でＲＡＭのカウンタＮ２の値の更新結果に応じてミラー４４の現在の傾斜角度を演算する。そして、ステップＳ５４で表示器８８の現在の傾斜角度の表示値を演算結果に変更し、ステップＳ５５でスタートスイッチ７１がオン状態にあるか否かを判断する。ここでスタートスイッチ７１がオン状態にあると判断した場合にはステップＳ５６でＲＡＭのカウンタＮ２の値の更新結果をＥＥＰＲＯＭのカウンタＮ２の値に上書きし、ステップＳ５７で電源リレーをオン状態からオフ状態に切換える。
【００６８】
傾斜角調整処理は使用者がスタートスイッチ７１を操作することで終了するものであり、傾斜角調整処理が終了する場合には電源リレーがオフ状態になることで電源が遮断される。この電源の遮断状態ではカウンタＮ２の値の更新結果がＥＥＰＲＯＭにバックアップされ、ミラー４４がカウンタＮ２の値のバックアップ結果に応じた傾斜角度にミラーモータ４７の自己保持力で静止する。従って、使用者はフィルタダクト２０の屈曲部１９に対する異物の付着状態を着脱口３８および点検口４０のそれぞれを通してミラー４４で確認できる。
【００６９】
図１４の一時停止割込み処理は洗い処理が始まった後から終わる前までの洗い処理中とすすぎ処理が始まった後から終わる前までのすすぎ処理中と脱水処理が始まった後から終わる前までの脱水処理中と乾燥処理が始まった後から終わる前までの乾燥処理中のそれぞれにスタートスイッチ７１がオン状態になった場合に起動するものであり、主制御回路７２のＣＰＵはステップＳ６１でＲＡＭのフラグＦ２の値がオン状態に設定されているか否かに応じて乾燥処理中であるか否かを判断する。ここでＲＡＭのフラグＦ２の値がオフ状態に設定されている場合には乾燥処理中でないと判断し、ステップＳ６２の傾斜角復旧処理へ移行する。この傾斜角復旧処理は図１１のステップＳ１８と同一のプロセスでミラー４４の傾斜角度を無効値からＥＥＰＲＯＭのカウンタＮ２の値に応じた値に傾斜させるものであり、ＣＰＵはステップＳ６２の傾斜角復旧処理を終えた場合およびステップＳ６１で乾燥処理中であると判断した場合のそれぞれにはステップＳ６３で運転コースの設定結果を一時停止する。この処理は運転コースの進行状態に応じたアクチュエータを一時的なオフ状態にすることを称するものであり、洗い処理中とすすぎ処理中と脱水処理中のそれぞれにはドラムモータ５が一時的なオフ状態にされ、乾燥処理中にはファンモータ２６とヒータ２８と散水弁ソレノイド３１のそれぞれが一時的なオフ状態にされる。
【００７０】
使用者が洗い処理中にスタートスイッチ７１を操作することで洗い処理を一時停止させた場合とすすぎ処理中にスタートスイッチ７１を操作することですすぎ処理を一時停止させた場合と脱水処理中にスタートスイッチ７１を操作することで脱水処理を一時停止させた場合のそれぞれにはミラー４４の傾斜角度が無効値からＥＥＰＲＯＭのカウンタＮ２の値に応じた値に変更される。従って、使用者はフィルタダクト２０の屈曲部１９に対する異物の付着状態をミラー４４で確認できる。使用者が乾燥処理中にスタートスイッチ７１を操作することで乾燥処理を一時停止させた場合にはミラー４４の傾斜角度が無効値のままになる。従って、使用者はフィルタダクト２０の屈曲部１９に対する異物の付着状態をミラー４４で確認することができない。
【００７１】
主制御回路７２のＣＰＵはステップＳ６３で運転コースの設定結果を一時停止すると、ステップＳ６４でスタートスイッチ７１がオン状態にあるか否かを判断する。ここでスタートスイッチ７１がオン状態にあると判断した場合にはステップＳ６５へ移行し、ＲＡＭのフラグＦ２の値がオン状態に設定されているか否かに応じて乾燥処理中であるか否かを判断する。ここで乾燥処理中でないと判断した場合にはステップＳ６６の鏡格納処理へ移行し、ミラー４４の傾斜角度を図１１のステップＳ１４〜Ｓ１６と同一のプロセスでＥＥＰＲＯＭのカウンタＮ２の値に応じた値から無効値に変更する。
【００７２】
主制御回路７２のＣＰＵは図１４のステップＳ６６の鏡格納処理を終えた場合およびステップＳ６５で乾燥処理中であると判断した場合のそれぞれにはステップＳ６７へ移行し、洗い処理中とすすぎ処理中と脱水処理中のそれぞれにはドラムモータ５を一時停止直前のオン状態に戻すことで一時停止を解除し、乾燥処理中にはファンモータ２６とヒータ２８と散水弁ソレノイド３１のそれぞれを一時停止直前のオン状態に戻すことで一時停止を解除する。
【００７３】
上記実施例１によれば次の効果を奏する。
使用者がカバー３４の開放状態で外箱１の外部から点検口４０を覗き込むことでミラー４４の反射面を目視で認識できるようにミラー４４をフィルタケース１６内に配置した。このカバー３４の開放状態ではミラー４４の反射面が外箱１の外部から点検口４０を通してフィルタダクト２０の屈曲部１９に光を反射する。このため、使用者が屈曲部１９に対する異物の付着状態をミラー４４の反射面を介して目視で認識できるので、目線の位置を調整する煩わしさが少なくなる。
【００７４】
永久磁石４５によりミラー４４をミラーフレーム４２に対して着脱可能に取付けた。このため、使用者は必要時に容易にミラー４４をミラーフレーム４２から取外して清掃し、ミラー４４を清掃した後にミラーフレーム４２に戻すことができる。しかも、永久磁石４５でミラー４４をミラーフレーム４２に対して取付けたので、ミラー４４が洗い処理中の振動とすすぎ処理中の振動と脱水処理中の振動のそれぞれでミラーフレーム４２から脱落することを防止できる。
【００７５】
ダイアル６５が時計回り方向へ回転操作された場合にはダイアル６５の回転量に応じてミラー４４の傾斜角度を前限度値に向けて大きくし、ダイアル６５が反時計回り方向へ回転操作された場合にはダイアル６５の回転量に応じてミラー４４の傾斜角度を後限度値に向けて小さくしたので、使用者が自身の身長に合わせてダイアル６５の時計回り方向の回転量および反時計回り方向の回転量のそれぞれを調整することでミラー４４の傾斜角度をミラー４４の反射面が見易いように調整できる。しかも、使用者がダイアル６５を時計回り方向および反時計回り方向のそれぞれへ回転操作しながらミラー４４を確認することで屈曲部１９を含む広い領域に対して異物の付着状態を点検できる。
【００７６】
洗い処理中とすすぎ処理中と脱水処理中のそれぞれにはＥＥＰＲＯＭのカウンタＮ２の値に拘らずミラー４４を傾斜角度が無効値（０°）となるように格納した。このミラー４４の格納状態ではミラーモータ４７のロッド５３がモータケース４６のロッド受け５１側に最大限に後退した状態に静止するので、ドラム７の回転時の振動でロッド受け５１に悪影響が生じることを防止できる。しかも、ミラー４４の格納状態でミラーフレーム４２およびミラー４４のそれぞれを垂直状態にしたので、ドラム７の回転時の振動でミラーフレーム４２およびミラー４４のそれぞれが傾斜状態から垂直状態に向けて振動することも防止できる。
【００７７】
電源の遮断状態でミラー４４をＥＥＰＲＯＭのカウンタＮ２の値に応じた傾斜角度に静止させた。このため、使用者がフィルタダクト２０の屈曲部１９に対する異物の付着状態を確認する場合に入スイッチ８６を操作することで電源を投入する手間およびダイアル６５を操作することでミラー４４の傾斜角度を調整する手間のそれぞれがなくなるので、電源の遮断状態でフィルタダクト２０の屈曲部１９に対する異物の付着状態を簡単に確認することができる。
【００７８】
上記実施例１においては、ミラー４４の傾斜角度を調整する傾斜機構を廃止し、ミラー４４を前限度値および後限度値の範囲内の一定の傾斜角度に固定しても良い。
上記実施例１においては、加熱器として冷凍サイクルのコンデンサを用い、冷却器として冷凍サイクルのエバポレータを用いても良い。
【００７９】
上記実施例１においては、洗濯物を水流で撹拌する洗濯乾燥機に本発明を適用しても良い。
【符号の説明】
【００８０】
４は水受槽、７はドラム（洗濯槽）、８は貫通孔、１９は屈曲部（点検領域）、３４はカバー（カバー部材）、４０は点検口、４２はミラーフレーム（支持部材）、４４はミラー（反射部材）、４５は永久磁石、４７はミラーモータ（駆動源，ロッドモータ）、５１はロッド受け、５３はロッド、６５はダイアル（操作子）、７２は主制御回路（傾斜角設定手段，傾斜角調整手段）を示す。
【図１】
2011120818.tif 000003
【図２】
2011120818.tif 000004
【図３】
2011120818.tif 000005
【図４】
2011120818.tif 000006
【図５】
2011120818.tif 000007
【図６】
2011120818.tif 000008
【図７】
2011120818.tif 000009
【図８】
2011120818.tif 000010
【図９】
2011120818.tif 000011
【図１０】
2011120818.tif 000012
【図１１】
2011120818.tif 000013
【図１２】
2011120818.tif 000014
【図１３】
2011120818.tif 000015
【図１４】
2011120818.tif 000016
【図１５】
2011120818.tif 000017